【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
人が移動して第１物体を商品として購入する際に利用される情報処理システムにおいて、
前記人を移動物体として、当該移動物体を追跡する移動物体追跡手段と、
所定の手法で、前記第１物体を商品として特定することを試みる商品特定手段と、
特定された前記商品と、所定の位置関係にある前記移動物体とを紐づける紐づけ手段と、
を備える情報処理システム。
【請求項２】
所定領域に対する前記第１物体の入出を検知する物体入出検知手段、
をさらに備える請求項１に記載の情報処理システム。
【請求項３】
１以上の前記第１物体の夫々は店舗で販売する前記商品として棚を含む所定の置場に配置されおり、
前記所定領域は、前記置場を示す領域である、
請求項２に記載の情報処理システム。
【請求項４】
特定された前記商品の情報から確定された精算金額を提示する提示手段、
をさらに備える請求項１乃至３のうちいずれか１項に記載の情報処理システム。
【請求項５】
前記人に対する精算として、前記移動物体と紐づけされた前記商品に関する精算の処理を行う精算手段、
をさらに備える請求項１乃至４のうちいずれか１項に記載の情報処理システム。
【請求項６】
前記移動物体追跡手段は、１以上の前記移動物体の夫々に対して識別子を付与し、当該識別子を用いて当該１以上の前記移動物体をグルーピングする、
請求項１乃至５のうちいずれか１項に記載の情報処理システム。
【請求項７】
前記移動物体に関する情報を取得する取得手段、
をさらに備える請求項１乃至６のうちいずれか１項に記載の情報処理システム。
【請求項８】
前記移動物体追跡手段は、
追跡対象の前記移動物体と紐づく前記商品が、当該移動物体とは異なる人に対して受け渡された場合、その旨を認識して、
当該移動物体とは異なる当該人を新たな移動物体として特定して、
当該新たな移動物体を追跡対象とし、
前記紐づけ手段は、
受け渡された前記商品と、前記新たな移動物体とを紐づける、
請求項１乃至７のうちいずれか１項に記載の情報処理システム。
【請求項９】
前記商品が売買制限商品であって、前記人が売買制限の対象の可能性がある場合、所定のエラー状態である旨を提示する第１エラー提示手段、
をさらに備える請求項１乃至８のうちいずれか１項に記載の情報処理システム。
【請求項１０】
前記紐づけ手段は、さらに、
前記商品特定手段による前記商品の特定の試みに失敗した前記第１物体を、前記移動物体と紐づけ、
前記商品特定手段による前記商品の特定の試みが失敗した場合、所定のエラー状態である旨を提示する第２エラー提示手段、
をさらに備える請求項１乃至９のうちいずれか１項に記載の情報処理システム。
【請求項１１】
前記移動物体追跡手段は、店員が存在する店舗において移動する前記人を前記移動物体として、当該移動物体を追跡し、
前記店員と前記移動物体とを判別する店員判別手段、
をさらに備える請求項１乃至１０のうちいずれか１項に記載の情報処理システム。
【請求項１２】
１以上の前記第１物体の夫々は店舗で販売する前記商品として棚を含む所定の置場に配置されおり、
前記置場及び前記店舗の全体の夫々の前記商品の在庫を管理し、所定の商品が購入された場合に、当該所定の商品が存在する前記置場及び前記店舗の全体の夫々の在庫を更新し、前記置場又は前記店舗の全体の前記商品の在庫数が所定要件を満たした場合に遠隔操作部への通知と自動発注のうち少なくとも一方の実行を制御する在庫情報更新手段、
をさらに備える請求項１乃至１１のうちいずれか１項に記載の情報処理システム。
【請求項１３】
前記人の属性を推定する属性推定手段、
をさらに備える請求項１乃至１２のうちいずれか１項に記載の情報処理システム。
【請求項１４】
前記移動物体追跡手段は、
さらに、追跡している際の前記移動物体の移動の経路を示す履歴情報を登録する、
請求項１乃至１３のうちいずれか１項に記載の情報処理システム。
【請求項１５】
前記商品特定手段は、前記第１物体を被写体に含む画像に対して、目検者が目視による確認をする前記所定の手法のうち第１手法を用いて、当該第１物体を前記商品として特定することを試みた結果を取得する第１特定手段と、
前記所定の手法のうち、前記第１手法以外の第２手法を用いて、前記第１物体を前記商品として特定することを試みる第２特定手段と、
を備え、
前記第１特定手段と前記第２特定手段のうち、少なくとも一方の結果に基づいて前記商品を特定する、
請求項１乃至１４のうちいずれか１項に記載の情報処理システム。
【請求項１６】
前記移動物体追跡手段は、前記人の代わりに、前記人と共に移動する第２物体を前記移動物体として、当該移動物体を追跡する、
請求項１乃至１５のうちいずれか１項に記載の情報処理システム。
【請求項１７】
人が移動して第１物体を商品として購入する際に利用される情報処理システムにおいて、
前記人を移動物体として、当該移動物体を追跡する移動物体追跡手段と、
所定領域に対する前記第１物体の入出を検知する物体入出検知手段と、
入出が検知された前記第１物体と、前記移動物体とを紐づける紐づけ手段と、
を備える情報処理システム。
【請求項１８】
１以上の前記第１物体の夫々は店舗で販売する商品として棚を含む所定の置場に配置されおり、
前記所定領域は、前記置場を示す領域である、
請求項１７に記載の情報処理システム。
【請求項１９】
所定の手法で、前記第１物体を商品として特定することを試みる商品特定手段と、
をさらに備える請求項１７又は１８に記載の情報処理システム。
【請求項２０】
特定された前記商品の情報から確定された精算金額を提示する提示手段、
をさらに備える請求項１７乃至１９のうちいずれか１項に記載の情報処理システム。
【請求項２１】
前記人に対する精算として、前記移動物体と紐づけされた前記商品に関する精算の処理を行う精算手段、
をさらに備える請求項１７乃至２０のうちいずれか１項に記載の情報処理システム。
【請求項２２】
前記移動物体追跡手段は、１以上の前記移動物体の夫々に対して識別子を付与し、当該識別子を用いて当該１以上の前記移動物体をグルーピングする、
請求項１７乃至２１のうちいずれか１項に記載の情報処理システム。
【請求項２３】
前記移動物体に関する情報を取得する取得手段、
をさらに備える請求項１７乃至２２のうちいずれか１項に記載の情報処理システム。
【請求項２４】
前記移動物体追跡手段は、
追跡対象の前記移動物体と紐づく前記第１物体が、当該移動物体とは異なる人に対して受け渡された場合、その旨を認識して、
当該移動物体とは異なる当該人を新たな移動物体として特定して、
当該新たな移動物体を追跡対象とし、
前記紐づけ手段は、
受け渡された前記第１物体と、前記新たな移動物体とを紐づける、
請求項１７乃至２３のうちいずれか１項に記載の情報処理システム。
【請求項２５】
前記第１物体が売買制限商品であって、前記人が売買制限の対象の可能性がある場合、所定のエラー状態である旨を提示する第１エラー提示手段
をさらに備える
請求項１９乃至２４うちいずれか１項に記載の情報処理システム。
【請求項２６】
前記紐づけ手段は、さらに、
前記商品特定手段による前記商品の特定の試みに失敗した前記第１物体を、前記移動物体と紐づけ、
前記商品特定手段による前記商品の特定の試みが失敗した場合、所定のエラー状態である旨を提示する第２エラー提示手段
をさらに備える
請求項１９に記載の情報処理システム。
【請求項２７】
前記移動物体追跡手段は、店員が存在する店舗において移動する前記人を前記移動物体として、当該移動物体を追跡し、
前記店員と前記移動物体とを判別する店員判別手段、
をさらに備える
請求項１７乃至２６のうちいずれか１項に記載の情報処理システム。
【請求項２８】
１以上の前記第１物体の夫々は店舗で販売する前記商品として棚を含む所定の置場に配置されおり、前記置場及び前記店舗の全体の夫々の前記商品の在庫を管理し、所定の商品が購入された場合に、当該所定の商品が存在する前記置場及び前記店舗の全体の夫々の在庫を更新し、前記置場又は前記店舗の全体の前記商品の在庫数が所定要件を満たした場合に遠隔操作部への通知と自動発注のうち少なくとも一方の実行を制御する在庫情報更新手段、
をさらに備える請求項１７乃至２７のうちいずれか１項に記載の情報処理システム。
【請求項２９】
前記人の属性を推定する属性推定手段、
をさらに備える請求項１７乃至２８のうちいずれか１項に記載の情報処理システム。
【請求項３０】
前記移動物体追跡手段は、
さらに、追跡している際の前記移動物体の移動の経路を示す履歴情報を登録する
請求項１７乃至２９のうちいずれか１項に記載の情報処理システム。
【請求項３１】
前記商品特定手段は、前記第１物体を被写体に含む画像に対して、目検者が目視による確認をする前記所定の手法のうち第１手法を用いて、当該第１物体を前記商品として特定することを試みた結果を取得する第１特定手段と、
前記所定の手法のうち、前記第１手法以外の第２手法を用いて、前記第１物体を前記商品として特定することを試みる第２特定手段と、
を備え、
前記第１特定手段と前記第２特定手段のうち、少なくとも一方の結果に基づいて前記商品を特定する、
請求項１９に記載の情報処理システム。
【請求項３２】
前記移動物体追跡手段は、前記人の代わりに、前記人と共に移動する第２物体を前記移動物体として、当該移動物体を追跡する、
請求項１７乃至３１のいずれか１項に記載の情報処理システム。